(57)【要約】【課題】  ティッシュペーパー入りの箱を、自動車の座席の背もたれ側面、又は冷蔵庫の扉などに取り付けて使用できるペーパーボックス保持具を提供する。【解決手段】  可撓性を有する弾性体、例えばプラスチック、ゴム、又は金属などを用いて、中空部Ｃを有する筒状体の保持具Ｅを成型し、その内壁面１にペーパーボックスを固定するための突起２を設ける。内壁面１に対向する内壁面にも同様の突起を設ける。  この突起はペーパーボックスの側面にあるミシン目を押し込んでできる略弓形状の開口部を通ることができ、内壁面から５〜６ｍｍ突出した大きさが適切である。  また、保持具Ｅの外壁面４には、２個の取り付け部５を設け、これらに被吊着孔６を穿っておく。外壁面４に対向する位置の外壁面にも同様に被吊着孔を穿った取り付け部を設けておく。  取り付け部には、吸盤を取り付けることができる被係止突起７を設ける。【選択図】        図１
2004283598.tif 000002
【特許請求の範囲】
【請求項１】
中空部を有する、断面が略四角形の筒状体であって、その中空部にペーパーボックスを嵌着させてこのペーパーボックスを保持することを特徴とするペーパーボックス保持具。
【請求項２】
筒状体の内壁から中空部へ向けて突き出すように設けた突起を有することを特徴とする請求項１記載のペーパーボックス保持具。
【請求項３】
可撓性を有する弾性体で成型して成ることを特徴とする請求項１又は２記載のペーパーボックス保持具。
【請求項４】
筒状体の内壁面の端の部分で、これに隣り合う内壁面に隣接する部分に、段差部分を設けることを特徴とする請求項１、２又は３記載のペーパーボックス保持具。
【請求項５】
筒状体の内壁から中空部へ向けて突き出すように設けた突起の先端を鉤状に成型することを特徴とする請求項１、２、３又は４記載のペーパーボックス保持具。
【請求項６】
筒状体の外壁面に、被吊着孔を有する取り付け部を設けることを特徴とする請求項１、２、３、４又は５記載のペーパーボックス保持具。
【請求項７】
被係止突起を、取り付け部に設けることを特徴とする請求項１、２、３、４、５又は６記載のペーパーボックス保持具。
【発明の詳細な説明】
【発明の詳細な説明】
【技術分野】
【０００１】  本発明は、ティッシュペーパー入りの箱を自動車の座席に取り付けたり、冷蔵庫の扉などに取り付けるときに使用するペーパーボックス保持具に関するものである。
【背景技術】
【０００２】  従来、自動車の中でティッシュペーパーを用いる場合、ペーパーボックスは座席の座面に置いたり、後部座席の後ろの棚などに置いておくのが普通で、座席の背もたれに取り付ける良い方法はなかった。【０００３】  一方、ペーパーボックスを箱形の容器に入れて、その容器を冷蔵庫の扉などに取り付けたり、ペーパーボックスを断面がコの字形状の取り付け具で挟持させて、この取り付け具を各種の壁面に取り付けたりする用具は一般に知られている。【０００４】
【特許文献１】        特開２００２−２６３０３１号公報（第１−８図、図２、図８）
【発明が解決しようとする課題】
【０００５】  ペーパーボックスを自動車の座席の座面に置いた場合は、ブレーキをかけたときにペーパーボックスが床に転がり落ちることがあった。また、ペーパーボックスを後部座席の座面や後部座席の後ろの棚に置いた場合は、運転者は後部座席に同乗者がいないときは、運転席に座ったままでは、ペーパーを取ることができないという不便があった。
【０００６】  特許文献１に記載のティッシュペーパー保持具は、上記の問題点に対処しているけれども、ペーパーボックスの全重量がペーパーボックスの側面の「略弓形状の開口部」（以下においては単に「開口部」という）の縁にかかるために、自動車内での使用時に大きい振動があった場合に、ペーパーボックスが開口部の縁の所から破れて、ペーパーボックスが床に落ちることがあった。また、特許文献１に記載のティッシュペーパー保持具を用いてペーパーボックスを冷蔵庫の扉などに取り付けた場合、ペーパーを取るときに、ペーパーボックスが揺れ動いてペーパーを取りにくいことがあった。
【０００７】  ペーパーボックスを箱形の容器に入れて、その容器を冷蔵庫の扉などに取り付ける方法は、ペーパーボックスの寸法によっては、この容器の前面がペーパーボックスの「ペーパー取り出し口を有する面」（以下においては単に「取り出し面」という）よりも大きく冷蔵庫の扉から突出して、人が傍らを通るときにぶつかる場合があり、また、ペーパーを取るときにペーパーボックスかぐらつくことがあった。また、ペーパーボックスの深さの寸法によっては、冷蔵庫の扉などに取り付けた容器に入らない場合もあった。
【０００８】  ペーパーボックスをテーブルの上や床に置いて用いる場合もあるが、ペーパーが残り少なくなると、ペーパーを取るときに、しばしばペーパーボックスごと持ち上がってしまう不便があった。
【０００９】  本発明は、ペーパーボックスを自動車の座席の背もたれに容易に取り付けることを可能にすると共に、振動が生じたときもペーパーボックスを確実に保持できる用具、又は冷蔵庫の扉などに用具を用いてペーパーボックスを容易に取り付けて、用具の前面がペーパーボックスの取り出し面よりも大きく突出することをなくすると共に、ペーパーを取るときにペーパーボックスがぐらつかないことを可能にする用具、又はペーパーボックスをテーブルの上に置いた状態でペーパーを取るときに、ペーパーが残り少なくなってもペーパーボックスが持ち上がらないようにできる用具を提供しようとするものである。
【課題を解決するための手段】
【００１０】  上記の目的を達成するために、本発明の「ペーパーボックス保持具」（以下においては単に「保持具」という）は、ペーパーボックスの側面（取り出し面に垂直な面）に枠をはめたような状態でペーパーボックスを保持すると共に、筒状体の内側に設けた突起が、保持具からペーパーボックスが離脱するのを防止するように構成する。
【００１１】  ペーパーボックスを付けた上記の保持具を、自動車の座席の背もたれ側面に紐で取り付けて用いる。
【００１２】  ペーパーボックスを付けた上記の保持具を、吸盤などを介して冷蔵庫の扉などに取り付けて用いる。
【００１３】  テーブルの上に置いて用いるペーパーボックスに保持具を付けておけば、ペーパーが残り少なくなっても、ペーパーを取るときにペーパーボックスが持ち上がらない。
【発明を実施するための最良の形態】
【００１４】  発明の実施の形態について以下に説明する。
図１のような中空部Ｃを有する、断面が略四角形の筒状体の保持具Ｅを成型する。その両断面は略ロの字形状である。保持具の寸法は、その両断面の内法における各辺の長さが、ペーパーボックスの底面の各辺の長さにほぼ等しく、筒状体の壁面の厚みは１〜３ｍｍくらいが適する。なお、保持具の奥行（両断面の距離）は、２〜４ｃｍくらいがよい。【００１５】  保持具の内壁面１には、ペーパーボックスを固定するための突起２を設けるといっそう良い。そして、内壁面１に対向する内壁面即ち外壁面３の裏側にも同様の突起を設ける。後者の突起は図１では見えないため、図２の正面図、図３の断面図に表す。
これらの突起は、図５のようなペーパーボックスＧの側面にあるミシン目を押し込んでできる略弓形状の開口部１２をくぐることができ、内壁面から１〜２ｍｍ突出した大きさがよい。【００１６】  保持具Ｅを可撓性を有する弾性体、例えばプラスチック、ゴム、又は金属などを用いて成型するといっそう良く、この場合は突起２は内壁面から５〜６ｍｍ突出した大きさでもよい。【００１７】  １つの内壁面８の端の部分で、これに隣り合う内壁面１に隣接する部分に、段差部分Ｄを設ける。即ち、壁面の端の部分の厚み１０を壁面の中間部分の厚み９よりも小さくなるようにする。その厚みの差は、約１ｍｍあればよい。約１ｍｍについては後述する。【００１８】  保持具Ｅの筒状体の内壁から突出させて設ける突起は、図４の断面図に表すように、突起の先端を鉤状に成型してもよい。この突起は内壁面から５〜６ｍｍ突出した大きさがよい。ただし、対向する突起のうち一方は壁面からの高さが１０ｍｍくらいあってもよい。【００１９】  保持具Ｅの外壁面４に、取り付け部５を保持具と一体化して２個設け、これに被吊着孔６を穿っておく。外壁面４に対向する位置の外壁面即ち内壁面８の裏側にも同様の被吊着孔を穿った取り付け部を設けておく。後者の取り付け部も図１では見えにくいため、図２の正面図に表す。【００２０】  取り付け部５には、吸盤を取り付けることができる被係止突起７を設ける。他の取り付け部にも同様の被係止突起を設ける。
被係止突起は、取り付け部５を介さないで、外壁面に直接設けてもよい。
【発明の効果】
【００２１】  請求項１の保持具は、ペーパーボックスを保持具に嵌着させることによって取り付けて用いる。ペーパーボックスの大きさは銘柄によって種々あるが、底面のサイズはほぼ同一であるため、どのペーパーボックスも、保持具によってペーパーボックスの側面に枠をはめたような状態にできる。本発明の保持具は、ペーパーボックスの取り出し面と底面を覆わないので、ペーパーボックスの高さ（深さ）が種々あっても、様々な高さのペーパーボックスに取り付け可能である。
このようにして保持具に取り付けたペーパーボックスをテーブルの上などに置けば、残り少なくなったペーパーを取るときも、保持具が重石の働きをして、ペーパーボックスが持ち上がらない。このとき、保持具の内壁面とペーパーボックスの側面との間に隙間がない場合は、保持具とペーパーボックスとの接触面の摩擦力の働きでペーパーボックスが保持具から離脱しない。
【００２２】  請求項２の保持具も、ペーパーボックスを保持具に嵌着させることによって取り付け、ペーパーボックスの側面が保持具の内壁面に囲まれるようにする。取り付けるに際して、中空部Ｃにペーパーボックスを嵌着させるときに、ペーパーボックスの側面と保持具の内壁面との間にわずかな隙間があって、かつ、ペーパーボックスが突起２に微かにつかえる場合に、請求項２の保持具が適する。そしてペーパーボックスが突起２につかえたとき、ペーパーボックスに力を加えて押せば、ペーパーボックスの厚紙が撓み、箱の底面は突起の位置を通過する。そして突起は開口部１２からペーパーボックスの中に入る。こうすれば、突起はペーパーボックスが保持具から離脱するのを防止して保持性能を高める。なお、ペーパーボックスの厚紙の撓みは、面と面との交線の付近ではあまり大きくないので、突起２の高さは、１〜２ｍｍが適する。
【００２３】  請求項３の保持具は、中空部Ｃにペーパーボックスを嵌着させるときに、ペーパーボックスが突起２につかえた際、ペーパーボックスに力を加えて押すと、保持具の材質の可撓性の作用のために、保持具の突起を有する壁面が外側に撓んで、対向する２つの突起の距離が広がる。そして、「箱の底面から開口部に至る側面の部分」が突起の位置を通過した後に、壁面の撓みが元に戻って、突起２は開口部１２からペーパーボックスの中に入って箱が保持具から離脱するのを防止する。請求項３の保持具の場合は、ペーパーボックスの厚紙だけでなく保持具の壁面も撓むので、突起の高さは５〜６ｍｍとしてもよく、箱の離脱を防止する効果がいっそう高まる。
【００２４】  請求項４の保持具は、ペーパーボックスを保持具の中空部Ｃに嵌着させる際、ペーパーボックスの側面と保持具の内壁面との間に、あまり隙間がない場合でもペーパーボックスを押すのに要する力が小さくてすむ。なぜならば、まず一方の突起を開口部からペーパーボックスの中に入れ、次いでペーパーボックスを中空部に途中まで嵌通させて、もう一方の突起にペーパーボックスの底面がいったんつかえたとき、図６の矢印の方向の力を指で壁面の端に加えれば、突起を有する壁面が撓むことによって突起がペーパーボックスにつかえなくなる。ここでペーパーボックスを軽く押して、開口部が突起の位置に合致したときに、矢印の方向の力をゆるめれば、壁面の撓みは元に復して、突起が開口部からペーパーボックスの中に入って、ペーパーボックスが保持具から離脱することを防ぐ。この際、ペーパーボックスを押すことによって壁面を撓ませるのではないため、ペーパーボックスを押す力は小さくてすむ。
【００２５】  ペーパーボックスを保持具から取り外すときには、やはり図６の矢印の方向に力を加えれば、突起を有する壁面が撓んで突起の一方が開口部から外れるので、箱を手前に取り出すことができる。なお、壁面が撓んでできる曲線を円弧で近似させるならば、突起２の高さを約６ｍｍとするのに対し、ティッシュペーパーの箱の底面の短辺が約１２ｃｍで、段差の深さを約１ｍｍにすれば、円弧の中点は元の壁面から約６ｍｍ離れた位置になる。内壁面８に対向する内壁面の同様の位置にも段差部分を設けた場合は、各段差の深さは約０．５ｍｍあればよい。
【００２６】  請求項５の保持具は、ペーパーボックスの底面の長辺の長さが、保持具の突起を有する内壁面とこれに対向する突起との最短距離以下である場合に用いるとよい。ペーパーボックスの一方の開口部の縁に、一方の突起の鉤部分を引っ掛け、さらに他方の開口部の縁に他方の突起の鉤部分を引っ掛けてペーパーボックスを保持具に取り付ける。この際は、箱の厚紙の撓みを利用する。なお、対向する突起の一方の高さを約１０ｍｍにした保持具は、保持具を縦長にして用いる場合に長いほうの突起が上になるようにすれば、２つの突起がペーパーボックスの離脱を防ぐと共に、ペーパーボックスの重量が突起にかかることはほとんどない。
【００２７】  請求項６の保持具は、取り付け部５の被吊着孔６に紐を通してペーパーボックスを付けた保持具を吊り下げ、この紐を自動車の座席のヘッドレストに掛けて結びつけて、図７のように座席の背もたれの側面にペーパーボックスを取り付ける。こうすると、運転席の背もたれ側面と助手席の背もたれ側面との間の空間を利用してペーパーボックスを取り付けることができる。また、保持具をヘッドレストの背面に紐で取り付けたり、助手席に座る人がいない場合は、ヘッドレストの前面に取り付ける使い方もできる。
【００２８】  請求項７の保持具は、被係止突起７を吸盤Ｆの小孔１１に嵌入させて吸盤Ｆを付け、吸盤を介して保持具を冷蔵庫の扉や机の幕板などの平らな面に取り付けることができる。また、吸盤の吸着面の代わりに磁石を付けたものを用いれば、保持具を冷蔵庫の扉やスチール机の幕板などに取り付けることができる。
【００２９】  保持具にペーパーボックスを取り付けたとき、ペーパーボックスの周囲の上下、左右、前後の６方向のうち、ペーパーボックスの側面の４方向は保持具の壁面で囲まれて保持され、他の２方向へのペーパーボックスの離脱は、突起２が防ぐ。従って、保持具を自動車内で用いているとき振動が生じても、ペーパーボックスの重量のほとんどは保持具の壁面に支えられることになり、突起にはペーパーボックスの重量はあまりかからないのでペーパーボックスが破れることはない。
【００３０】  保持具を用いてペーパーボックスを冷蔵庫の扉などに取り付けて用いる場合、箱を横長あるいは縦長のいずれの状態にしても、ペーパーボックスは保持具の壁面と突起２によって保持されているため、ペーパーを取るときに箱がぐらつくことはない。
【００３１】  保持具はペーパーボックスの４方向を囲むだけなので、様々な深さ（例えば約５ｃｍ、約６ｃｍ、約８ｃｍ）のペーパーボックスを取り付けることができる。そして、保持具はペーパーボックスの取り出し面よりも前方へ突出することがないので、人が傍らを通るときにぶつかる危険性も少なくて安全性が高い。
【図面の簡単な説明】
【図１】  本発明によるペーパーボックス保持具とこれに組み合わせる吸盤の見取図である。
【図２】  図１の保持具の正面図である。
【図３】  図１の保持具のＡ−Ａ断面図である。
【図４】  請求項５の保持具の水平断面図である。（図３と同様の位置の断面）
【図５】  ペーパーボックスの見取図である。
【図６】  ペーパーボックスを保持具の中空部に嵌着させる際、請求項４の保持具の壁面を撓ませている状態を正面から見た図である。
【図７】  ペーパーボックスを付けた保持具を、自動車の座席の背もたれ側面に紐で取り付けた状態の見取図である。
【符号の説明】
Ｃ  中空部
Ｄ  段差部分
Ｅ  保持具
Ｆ  吸盤
Ｇ  ペーパーボックス
１、８  内壁面
２  突起
３、４  外壁面
５  取り付け部
６  被吊着孔
７  被係止突起
９  壁面の中間部分の厚み
１０  壁面の端の部分の厚み
１１  吸盤の小孔
１２  略弓形状の開口部
【図１】
2004283598.tif 000003
【図２】
2004283598.tif 000004
【図３】
2004283598.tif 000005
【図４】
2004283598.tif 000006
【図５】
2004283598.tif 000007
【図６】
2004283598.tif 000008
【図７】
2004283598.tif 000009